(57)【要約】【課題】撮影付属データをパターンに変換した付属情報パターンが印刷され、しかも、画像データの印刷物である写真の１つの辺に沿わせて配置したときに、付属情報パターンが写真よりもはみ出すことが無い位置関係で配置できる、付箋ラベルを作成する。【解決手段】画像データと撮影付属データとを含む撮像データの撮影付属データを変換して付属情報パターンを生成し、パターン記録媒体に対して印刷を行うパターン印刷装置により、付属情報パターンを印刷し、生成される付属情報パターンは、画像データが印刷される記録媒体の１つの辺に対応している、パターン記録媒体における付属情報パターンが印刷される部位の１辺が、画像データが印刷される画像記録媒体の１つの辺の長さ以内の長さに設定されるように変換されている、撮影付属データの印刷方法。【選択図】図８
2015058701.tif 000002
【特許請求の範囲】
【請求項１】
画像データと撮影付属データとを含む撮像データの当該撮影付属データを変換して付属情報パターンを生成し、
パターン記録媒体に対して印刷を行うパターン印刷装置により、前記付属情報パターンを印刷し、
生成される前記付属情報パターンは、前記画像データが印刷される画像記録媒体の１つの辺に対応している、前記パターン記録媒体における前記付属情報パターンが印刷される部位の１辺が、前記画像データが印刷される画像記録媒体の前記１つの辺の長さ以内の長さに設定されるように変換されている、
ことを特徴とする撮影付属データの印刷方法。
【請求項２】
前記付属情報パターンの印刷を、
前記付属情報パターンを印刷するときの前記パターン記録媒体の使用長が、
前記付属情報パターンの印刷長以上で、且つ、前記画像記録媒体の前記１つの辺の長さ以下になるように設定して行う、
ことを特徴とする請求項１に記載の撮影付属データの印刷方法。
【請求項３】
前記撮影付属データの前記変換において、
前記付属情報パターンの長さが前記画像記録媒体の前記１つの辺の長さを越えるときは、
前記付属情報パターンの改行処理を行う、
ことを特徴とする請求項１または２に記載の撮影付属データの印刷方法。
【請求項４】
前記撮影付属データの前記変換において、
前記付属情報パターンが前記パターン記録媒体の幅の長さ以内に収まらないときは、
前記付属情報パターンのパターンサイズ及びパターン間隔を、前記付属情報パターンが前記パターン記録媒体の前記幅の長さ以内に収まるように調整する、
ことを特徴とする請求項１乃至３の何れかに記載の撮影付属データの印刷方法。
【請求項５】
前記撮影付属データの取り込みと、前記付属情報パターンへの変換と、を前記パターン印刷装置に接続した制御装置により行い、
前記生成した前記付属情報パターンを、前記制御装置から前記パターン印刷装置へ供給する、
ことを特徴とする請求項１乃至４の何れかに記載の撮影付属データの印刷方法。
【請求項６】
前記制御装置により、
前記撮像データから前記画像データを取り込み、
前記画像データを印刷用画像に変換し、
前記画像記録媒体に対して印刷を行う画像印刷装置により、前記印刷用画像を印刷する、
ことを特徴とする請求項５に記載の撮影付属データの印刷方法。
【請求項７】
前記付属情報パターンの印刷と、前記印刷用画像の印刷と、を同時に行う、
ことを特徴とする請求項１乃至６の何れかに記載の撮影付属データの印刷方法。
【請求項８】
前記パターン記録媒体はテープ状である、
ことを特徴とする請求項１乃至７の何れかに記載の撮影付属データの印刷方法。
【請求項９】
コンピュータに、
画像データと撮影付属データとを含む撮像データの当該撮影付属データを変換して付属情報パターンを生成する処理と、
パターン記録媒体に対して印刷を行うパターン印刷装置により、前記付属情報パターンを印刷する処理と、
を実行させ、
生成される前記付属情報パターンは、前記画像データが印刷される画像記録媒体の１つの辺に対応している、前記パターン記録媒体における前記付属情報パターンが印刷される部位の１辺が、前記画像データが印刷される画像記録媒体の前記１つの辺の長さ以内の長さに設定されるように変換されている、
ことを特徴とする撮影付属データの印刷プログラム。
【発明の詳細な説明】
【技術分野】
【０００１】
本発明は、撮影付属データの印刷方法及びその印刷プログラムに関する。
【背景技術】
【０００２】
デジタルカメラによる撮像データは、画像データと、撮影付属データと、を含んでいる。撮影付属データは、撮影日、カメラ機種、撮影場所等のデータであり、ｅｘｉｆデータと呼称されている。
【０００３】
そこで、撮影付属データをパターンに変換して印刷し、撮影した画像の補助的な情報として利用することが行われている。撮影付属データを印刷する装置としては、例えば、特許文献１、特許文献２、特許文献３に記載されているようなものがある。
【０００４】
特許文献１に記載されている印刷装置は、画像データと、撮影付属データをパターンに変換した付属情報パターンと、を合成して印刷用紙に印刷するか、或いは、印刷用紙の裏面に撮影付属データを印刷するものである。
【０００５】
特許文献２に記載されている印刷装置は、撮影付属データをパターンに変換した付属情報パターンを二次元コードに圧縮し、その二次元コードを、印刷用紙の隅部分に印刷するものである。
【０００６】
特許文献３に記載されている印刷装置は、複数の縮小画像を配列したインデックスシートを作成にする際に、撮影付属データをパターンに変換した複数の付属情報パターンを、各縮小画像にそれぞれ対応させて印刷するものである。
【先行技術文献】
【特許文献】
【０００７】
【特許文献１】特開２００４−１６５９７７号公報
【特許文献２】特開２００６−１５９７９９号公報
【特許文献３】特開２００３−１６９２７６号公報
【発明の概要】
【発明が解決しようとする課題】
【０００８】
しかし、特許文献１のように、画像データと付属情報パターンとを合成して印刷用紙に印刷したのでは、印刷された画像の品質を損なってしまう。また、印刷用紙の裏面に付属情報パターンを印刷したのでは、印刷された画像を視野に入れながら付属情報パターンを見ることができない。さらに、前記画像データの印刷物である写真をアルバム等に貼ってしまうと、付属情報パターンを印刷した意味が無くなってしまう。
【０００９】
また、特許文献２のように、付属情報パターンを二次元コードに圧縮して印刷したのでは、二次元コードを読み取らなければ付属情報パターンを見ることができない。また、印刷用紙の隅ではあるが、画像中に二次元コードが印刷されるため、印刷された画像の品質をある程度損なってしまう。
【００１０】
さらに、特許文献３のように、付属情報パターンをインデックスシートに印刷したのでは、付属情報パターンを見たい時に、その都度インデックスシートから探し出さなければならない。
【００１１】
本発明は、撮影付属データをパターンに変換した付属情報パターンが印刷され、しかも、画像データの印刷物である写真の１つの辺に沿わせて配置したときに、付属情報パターンが写真よりもはみ出すことが無い位置関係で配置できる、付箋ラベルを作成することができる、撮影付属データの印刷方法及び印刷プログラムを提供することを目的としたものである。
【課題を解決するための手段】
【００１２】
前記目的を果たすため、本発明の撮影付属データの印刷方法の一様態は、
画像データと撮影付属データとを含む撮像データの当該撮影付属データを変換して付属情報パターンを生成し、
パターン記録媒体に対して印刷を行うパターン印刷装置により、前記付属情報パターンを印刷し、
生成される前記付属情報パターンは、前記画像データが印刷される画像記録媒体の１つの辺に対応している、前記パターン記録媒体における前記付属情報パターンが印刷される部位の１辺が、前記画像データが印刷される画像記録媒体の前記１つの辺の長さ以内の長さに設定されるように変換されている、
ことを特徴とする。
【００１３】
また、前記目的を果たすため、本発明の撮影付属データの印刷プログラムの一様態は、
コンピュータに、
画像データと撮影付属データとを含む撮像データの当該撮影付属データを変換して付属情報パターンを生成する処理と、
パターン記録媒体に対して印刷を行うパターン印刷装置により、前記付属情報パターンを印刷する処理と、
を実行させ、
生成される前記付属情報パターンは、前記画像データが印刷される画像記録媒体の１つの辺に対応している、前記パターン記録媒体における前記付属情報パターンが印刷される部位の１辺が、前記画像データが印刷される画像記録媒体の前記１つの辺の長さ以内の長さに設定されるように変換されている、
ことを特徴とする。
【発明の効果】
【００１４】
本発明によれば、撮影付属データをパターンに変換した付属情報パターンが印刷され、しかも、画像データの印刷物である写真の１つの辺に沿わせて配置したときに、付属情報パターンが写真よりもはみ出すことが無い位置関係で配置できる、付箋ラベルを作成することができる。
【図面の簡単な説明】
【００１５】
【図１】本発明を実施するための装置の一例を示す図。
【図２】図１における画像プリンタの一例を示す斜視図。
【図３】図１におけるラベルプリンタの一例を示す平面図。
【図４】ラベルプリンタに使用するテープカセットの斜視図。
【図５】ラベルプリンタのテープカセット収納部の斜視図。
【図６】撮影付属データの印刷プログラムの概念図。
【図７】撮影付属データに対応した付属情報パターンの生成の一例を示すフローチャート。
【図８】画像データの印刷物である写真と、その写真のｅｘｉｆデータを印刷した付箋ラベルと、を示す図。
【発明を実施するための形態】
【００１６】
以下、本発明の一実施形態を図に基づいて説明する。図１は、本発明を実施するための装置の一例を示す図であり、この例では、制御装置１０と、Ａ４サイズやＬ版等の各種サイズの画像記録媒体（以下、印刷用紙と呼称する）に対する印刷を行う画像印刷装置としての画像プリンタ２０と、テープ状のパターン記録媒体（以下、被印刷テープと呼称する）に対する印刷を行うパターン印刷装置としてのラベルプリンタ３０と、を備えている。
【００１７】
制御装置１０は、例えばパーソナルコンピュータであり、図１のように、制御部としてのＣＰＵ１１、各種プログラム等の格納手段としてのＲＯＭ１２、データの一時的な記憶手段としてのＲＡＭ１３、外部機器との通信を行うインターフェース１４、キーボード入力部１５、表示部１６等を備えている。また、図示しないが、制御装置１０は、ＣＤ、ＵＳＢメモリ、メモリカード、フレキシブルディスク等の記憶媒体の接続部または挿入口を備えている。
【００１８】
画像プリンタ２０は、図１のように、ＣＰＵ２１、ＲＯＭ２２、ＲＡＭ２３、制御装置１０等との通信を行うインターフェース２４、入力部２５、表示部２６、印刷装置２７等を備えている。この画像プリンタ２０は、制御装置１０に、それぞれのインターフェース１４，２４を介して接続されている。また、図示しないが、画像プリンタ２０は、メモリカード等の記憶媒体の接続部または挿入口を備えている。
【００１９】
ラベルプリンタ３０は、図１のように、ＣＰＵ３１、ＲＯＭ３２、ＲＡＭ３３、制御装置１０等との通信を行うインターフェース３４、入力部３５、表示部３６、印刷部３８、テープカッタ４４等を備えている。このラベルプリンタ３０は、制御装置１０に、それぞれのインターフェース１４，３４を介して接続されている。
【００２０】
図２は、画像プリンタ２０の一例を示す斜視図である。この画像プリンタ２０は、プリンタ本体２０ａと、キーボードからなる入力部２５と、液晶表示パネル等の表示パネルを備えた表示部２６と、を有している。そして、入力部２５は、プリンタ本体２０ａに対して、その前面に格納できるように回動可能に連結され、表示部２６は、プリンタ本体２０ａに対して、その上面に格納できるように回動可能に連結されている。
【００２１】
また、プリンタ本体２０ａの前面には、プリンタ本体２０ａ内に設けられている印刷装置２７（図２では図示せず）から送り出される印刷済み用紙の排出口２７ａと、メモリカード等の記憶媒体の挿入口２８が設けられている。なお、印刷装置２７は、インクジェット式の印刷装置であり、インクカートリッジは、プリンタ本体２０ａの前面に設けられたインクカートリッジ交換口の開閉蓋２９を開いて交換される。
【００２２】
図３は、ラベルプリンタ３０の一例を示す平面図、図４は、ラベルプリンタ３０に使用するテープカセット５０の斜視図、図５は、ラベルプリンタ３０のテープカセット収納部３７の斜視図である。
【００２３】
図３に示すように、このラベルプリンタ３０の入力部３５と表示部３６とは、筐体３０ａの上面に設けられている。また、筐体３０ａ内にはテープカセット収納部３７が設けられている。テープカセット収納部３７は、筐体３０ａの上面に開口しており、開閉蓋３７ａにより塞がれている。
【００２４】
入力部３５は、パターン等の入力キー、表示部３６に表示されたカーソルの移動操作キー、パターン等の印刷パターンの倍率や印刷モード等の各種の設定を行うための種々の設定キー、印刷開始キー等を備えたキーボード入力部である。
【００２５】
表示部３６は、例えば液晶表示パネルからなっている。この表示部３６には、ユーザに対する操作手順のメッセージ、キーボード入力部３５から入力されたパターン等の各種の入力情報、各種の設定のための選択メニュー、選択された設定情報、印刷イメージ等が表示される。
【００２６】
一方、パターン記録媒体である被印刷テープ５２は、表面が印刷面とされ、裏面が粘着面とされ、この粘着面に剥離テープが貼付けられた、紙テープまたは樹脂テープであり、図４に示したテープカセット５０に収められている。
【００２７】
テープカセット５０は、カセットケース５１内に、被印刷テープ５２が巻装されたテープコア５３と、インクリボン５４が巻装されたインクリボン供給コア５５と、インクリボン巻取りコア５６と、を収容したものである。
【００２８】
カセットケース５１は、当該ケース５１の一側面から凹入した形状の印字ヘッド挿入部５７を有しており、インクリボン５４は、インクリボン供給コア５５から繰り出され、カセットケース５１内に配置された図示しないガイド手段により、印字ヘッド挿入部５７内のカセットケース側面近くの位置を通るように導かれて、インクリボン巻取りコア５６に巻付けられている。
【００２９】
また、被印刷テープ５２は、インクリボン５４と同じ幅を有している。この被印刷テープ５２は、テープコア５３から繰り出され、前記ガイド手段により、印字ヘッド挿入部５７を、印刷面をインクリボン５４の外向きの面に対向させて通るように導かれ、カセットケース５１に設けられた図示しないテープ出口から突き出している。
【００３０】
一方、ラベルプリンタ３０の筐体３０ａ内に設けられたテープカセット収納部３７には、テープカセット５０を所定の位置に支持するための複数のカセット受け部４５が設けられている。このカセット受け部４５は、カセットケース５１の複数の角部に形成された係合部５８に対応させて設けられている。
【００３１】
そして、ラベルプリンタ３０の印刷部３８は、テープカセット収納部３７内に、印字ヘッド３９と、プラテンローラ４０と、テープカセット５０のテープコア５３と係合するテープコア係合軸４１と、テープカセット５０のリボン巻取りコア５６と係合するインクリボン巻取り駆動軸４２と、を図５に示すように配置して構成されている。
【００３２】
テープカセット５０は、被印刷テープ５２とインクリボン５４の印字ヘッド挿入部５７内に露出している部分とを、印字ヘッド３９とプラテンローラ４０との間に入り込ませるとともに、テープコア５３とリボン巻取りコア５６とを、テープコア係合軸４１とリボン巻取り駆動軸４２とにそれぞれ係合させてテープカセット収納部３７内に挿入される。そして、各係合部５８を各カセット受け部４５に係合させることにより、テープカセット収納部３７内の所定の位置にセットされる
印字ヘッド３９は、テープカセット５０の印字ヘッド挿入部５７に入り込む位置に配置されており、印刷開始時に、インクリボン５４に押し付けられる。また、プラテンローラ４０は、印字ヘッド３９の印字面に対向させて配置されており、図示しないステッピングモータにより駆動され、印字ヘッド３９との間に挟み込まれたインクリボン５４と被印刷テープ５２とを、被印刷テープ５２の長手方向に一定ピッチで間欠的に送り駆動する。また、インクリボン巻取り駆動軸４２は、プラテンローラ４０のテープ送りに同調させて回転駆動される。
【００３３】
この実施形態において、インクリボン５４は、熱転写型のインクリボンであり、印字ヘッド３９は、所定数のドット状発熱素子が、縦方向、つまりインクリボン５４及び被印刷テープ５２の幅方向に沿って１列に配列したサーマルヘッドである。印字ヘッド３９は、間欠送りされるインクリボン５４及び被印刷テープ５２の停止タイミングに合わせて、発熱素子列のうちの印刷データに対応した発熱素子を駆動され、インクリボン５４のインクを被印刷テープ５２に転写する。
【００３４】
また、テープカセット収納部３７の側壁部には、印刷の進行に伴ってテープカセット５０から送り出されてくる印刷済みの被印刷テープ５２を筐体３０ａ外に排出するためのテープ排出部４３が設けられており、このテープ排出部４３に、被印刷テープ５２から印刷済み部分を切り離すテープカッタ４４が配置されている。
【００３５】
テープカッタ４４は、被印刷テープ５２を剥離テープとともに切断するフルカット機構４４ａと、被印刷テープ５２を剥離テープを残して切断するハーフカット機構４４ｂと、を備えており、この２つのカット機構４４ａ，４４ｂの何れか一方を選択されて駆動される。
【００３６】
フルカット機構４４ａを選択した場合、被印刷テープ５２の印刷済みの部分は、剥離テープ付きのラベルとして排出される。また、ハーフカット機構を選択した場合、被印刷テープ５２の印刷済みの部分は、テープカセット１０に繋がったままの剥離テープから剥ぎ取ってラベルとして取り出されるか、或いは、適当な時期にフルカット機構４４ａを作動させて剥離テープを切断することにより、剥離テープ付きのラベルとして取り出される。
【００３７】
一方、テープカセット５０には、被印刷テープ５２及びインクリボン５４の幅（以下、テープ幅と呼称する）が異なる複数種類のものがあり、作成したいラベルの幅に合ったテープ幅のテープカセットが、テープカセット収納部３７にセットされる。
【００３８】
そのため、このラベルプリンタ３０では、印字ヘッド３９として、各種のテープ幅のうちの最も広いテープ幅に対応した印刷幅（発熱素子の配列長）のものを備え、テープカセット収納部３７にセットされたテープカセット５０のテープ幅に応じて、印字ヘッド３９の発熱素子列のうちの、被印刷テープ５２の幅に対応した有効範囲の各発熱素子を駆動するようにしている。
【００３９】
さらに、テープカセット５０のカセットケース５１に設けられた係合部５８には、テープカセット収納部３７のカセット受け部４５と係合する面に、テープカセット５０の種類毎に異なる識別用の凹凸部（図示せず）が形成されている。
【００４０】
そのため、このラベルプリンタ３０では、カセット受け部４５に、テープカセット５０の係合部５８の凹凸部の形状を検知するテープ幅検出スイッチ４６を設けることにより、テープカセット５０のテープ幅を自動的に判別し、印字ヘッド３９の有効範囲を設定できるようにしている。
【００４１】
このラベルプリンタ３０は、キーボード入力部３５からの入力データに対応したパターン等を表示部３６に表示するとともに、表示印刷開始キーの操作、或いは、外部からインターフェイス３４を経由して入力された印刷指令により、入力データに対応したパターン等の印刷データを印刷部３８の印字ヘッド３９へ供給して、被印刷テープ５２に対する印刷を行い、印刷の進行に伴ってテープカセット５０から送り出されてくる被印刷テープ５２の印刷済みの部分を、印刷終了後に、フルカット機構４４ａまたはハーフカット機構４４ｂにより、印刷されたパターン等の後側（テープカセット５０側）の個所で切断する。
【００４２】
次に、被印刷テープ５２に対する撮影付属データの印刷方法を説明する。この実施形態では、撮影付属データの印刷プログラム２１０（図６参照）を、制御装置である制御装置１０のＲＡＭ１３に予め登録しておき、制御装置１０に対して、図示しないデジタルカメラによる撮像データ２００（図６参照）が入力され、さらに、入力部１５により撮像画像及び撮影付属データの印刷モードが選択されたときに、制御装置１０のＣＰＵ１１に、印刷プログラム２１０を実行させるようにしている。
【００４３】
撮像データ２００は、画像データと、撮影日、カメラ機種、撮影場所等の撮影付属データ（以下、ｅｘｉｆデータと呼称する）と、を含むデータであり、制御装置１０に直接入力されるか、或るいは、画像プリンタ２０から転送されて制御装置１０に入力される
すなわち、撮像データ２００は、制御装置１０と画像プリンタ２０との何れかに、デジタルカメラを接続するか、デジタルカメラから取り出したメモリカード等の記憶媒体を挿入することにより入力される。そして、画像プリンタ２０に入力された撮像データ２００は、画像プリンタ２０から転送されて制御装置１０に入力される。
【００４４】
図６は、撮影付属データの印刷プログラム２１０の概念図である。この印刷プログラム２１０は、ｅｘｉｆ解析プログラム２２０と、画像プリンタ用印刷データ生成プログラム２３０と、ラベルプリンタ用印刷データ生成プログラム２４０と、により構築されている。
【００４５】
この印刷プログラム２１０は、制御装置１０のＣＰＵ１１に、入力された撮像データ２００からの画像データとｅｘｉｆデータとを取り込み、ｅｘｉｆ解析プログラム２２０に従ったデータ処理、画像プリンタ用印刷データ生成プログラム２３０に従った画像プリンタ用印刷データの生成、ラベルプリンタ用印刷データ生成プログラム２４０に従ったラベルプリンタ用印刷データの生成を実行させる。
【００４６】
すなわち、ｅｘｉｆ解析プログラム２２０は、ＣＰＵ１１に、ｅｘｉｆデータを解析し、撮影日データ２２２、カメラ機種データ２２３、撮影場所データ２２４等の各パターン２２１に変換するデータ処理を実行させる。
【００４７】
ラベルプリンタ用印刷データ生成プログラム２４０は、ＣＰＵ１１に、前記各パターン２２１を、前記撮像データ２００から取り込んだ画像データを印刷する印刷用紙の１つの辺の長さ以内で、且つ、前記被印刷テープ５２の幅内に収まるように編集して、前記ｅｘｉｆデータに対応した付属情報パターン２４１ａ，２４１ｂ（図８参照）を生成するデータ処理を行わせ、生成した付属情報パターン２４１ａ，２４１ｂを、ラベルプリンタ用印刷データとしてラベルプリンタ３０に供給させる。
【００４８】
なお、画像データを印刷する印刷用紙のサイズは、ユーザにより、画像プリンタ２０と制御装置１０との何れかで選択される。そして、用紙サイズが画像プリンタ２０で選択されたときは、選択された用紙サイズのデータが、画像プリンタ２０から制御装置１０に転送されてＣＰＵ１１に入力される。
【００４９】
図７は、制御装置１０のＣＰＵ１１における、撮影付属データに対応した付属情報パターン（ラベルプリンタ用印刷データ）の生成の一例を示すフローチャートであり、ＣＰＵ１１は、前記印刷プログラム２１０のｅｘｉｆ解析プログラム２２０及びラベルプリンタ用印刷データ生成プログラム２４０に従い，次のような手順で付属情報パターンを生成する。
【００５０】
まず、ＣＰＵ１１に入力された撮像データ２００を読み込み（Ｓ１）、その撮像データ２００からｅｘｉｆデータを取り込んで（Ｓ２）、ｅｘｉｆ解析により、ｅｘｉｆデータを、撮影日データ２２２、カメラ機種データ２２３、撮影場所データ２２４等の各パターン２２１に変換（Ｓ３）する。
【００５１】
次に、前記パターン２２１を、前記画像データを印刷する印刷用紙（以下、印刷用画像用紙と呼称する）の１つの辺の長さ以内で、且つ、前記パターン記録媒体の幅内に収まるように編集し、付属情報パターン２４１ａ，２４ｂを生成する。この付属情報パターン２４１ａ，２４１ｂの生成は、以下の手順で行う。
【００５２】
まず、パターン２２１を、例えば、図８に示した付箋ラベル３０２のように、撮影日データ２２２、撮影場所データ２２４、カメラ機種データ２２３の順で、１列に並べるパターン編集（Ｓ４）を行う。このパターン編集において、ユーザにより、画像プリンタ２０と制御装置１０との何れかに、補足パターンの付加や隣り合うデータ間へのスペースの挿入が設定された場合は、その設定に応じた編集を行う。
【００５３】
例えば、撮影場所データ２２４を、「×××にて」のようなデータにするときは、撮影場所データ２２４に「にて」のパターン２２５を付加し、また、撮影場所データ２２４とカメラ機種データ２２３とを識別しやすくするときは、撮影場所データ２２４とカメラ機種データ２２３との間に、設定されたパターン数分の長さのスペース２２６（図８に示した付箋ラベル３０２参照）を挿入する。
【００５４】
次に、前記各データ２２２，２２４，２２３を一列に並べたパターン編集データが、印刷用画像用紙の１つの辺の長さ以内、つまり、印刷用画像用紙の１つの辺と平行な方向の幅以内か否かを判断（Ｓ５）する。
【００５５】
なお、印刷用画像用紙の１つの辺は、画像データの印刷物である写真の各辺のうちの、付箋ラベルを配置したい側の辺であり、ユーザにより、画像プリンタ２０と制御装置１０との何れかで選択される。また、１つの辺の長さは、印刷用画像用紙のサイズに対応し、ユーザにより、画像プリンタ２０と制御装置１０との何れかで用紙サイズが選択されると、選択されたサイズの印刷用画像用紙における１つの辺の長さがＣＰＵ１１に入力される。
【００５６】
そして、パターン編集データが、印刷用画像用紙の１つの辺の長さ（以下、印刷用紙幅と呼称する）を越えるときは、パターン編集データの改行処理（Ｓ６）を行い、さらに、改行位置が適正であるか否か、つまり、各データ２２２，２２４，２２３の境で改行しているか否かを判断する。すなわち、パターン編集データを、各データ２２２，２２４，２２３のうちの１つのデータの途中で改行した場合は、改行位置が不適正と判断する。
【００５７】
改行位置が不適正であるときは、改行位置を変更（Ｓ８）し、再び（Ｓ７）の改行位置適正判断を行う。そして、改行位置が適正であるときは、（Ｓ５）に戻り、（Ｓ５）を経て再度（Ｓ６）の改行位置の適正判断を行う。
【００５８】
また、１列のパターン編集データ、或いは複数列に組み替えたパターン編集データが、印刷用紙幅以内であるときは、パターン編集データの幅（複数列に組み替えたパターン編集データの場合は、全パターン分の幅）が被印刷テープ５２のテープ幅以内か否かを判断（Ｓ９）し、被印刷テープ５２の幅内に収まらないときは、パターンサイズ及びパターン間隔を小さくするパターンサイズ・パターン間隔調整（Ｓ１０）を行った後に、再び（Ｓ９）の判断を行う。
【００５９】
そして、パターン編集データの幅がテープ幅以内であれば、そのパターン編集データを、付属情報パターン２４１ａ，２４１ｂとして出力（Ｓ１１）し、付属情報パターン２４１ａ，２４１ｂの生成を終了する。
【００６０】
また、ＣＰＵ１１は、前記付属情報パターン２４１ａ，２４１ｂの生成に付随して、生成した付属情報パターン２４１ａ，２４１ｂを印刷するときの被印刷テープ５２の使用長を、付属情報パターン２４１ａ，２４１ｂの印刷長以上で、且つ、印刷用画像用紙の幅（１つの辺の長さ）の長さ以下の長さに設定する。
【００６１】
そして、ＣＰＵ１１は、設定したテープ長さ２４６と、ユーザにより設定された印刷濃度２４７、印刷枚数（付箋ラベルの作成枚数）２４８等の印刷条件データ２４２（図６参照）を、生成した付属情報パターン２４１ａ，２４１ｂとともに制御装置１０からラベルプリンタ３０へ供給し、ラベルプリンタ３０に、被印刷テープ５２に対する付属情報パターン２４１ａ，２４１ｂの印刷を行わせる。
【００６２】
さらに、制御装置１０のＣＰＵ１１は、印刷プログラム２１０の画像プリンタ用印刷データ生成プログラム２３０に従って、撮像データ２００から取り込んだ画像データを、ビットマップデータ（図６参照）に変換し、印刷用画像データ２３１を生成する。この印刷用画像データ（ビットマップデータ）２３１の生成は、前記付属情報パターン２４１ａ，２４１ｂの生成と並行して実行する。
【００６３】
そして、ＣＰＵ１１は、ユーザにより設定された、印刷用紙サイズ２３３、印刷用画像の印刷用紙の向き（縦向きか横向きか）２３４、印刷枚数２３５等の印刷用画像条件データ２３２と、ビットマップデータ２３１と、を制御装置１０から画像プリンタ２０へ供給し、写真プリンタ２０に、印刷用紙サイズ２３３に合わせたサイズの印刷用画像データ２３１を印刷させる。
【００６４】
前記ラベルプリンタ３０による付属情報パターン２４１ａ，２４１ｂの印刷と、写真プリンタ２０による印刷用画像印刷データ２３１の印刷と、はユーザによる、制御装置１０の入力部からの印刷開始の指示により、同時に行う。 
そのため、画像データを印刷した印刷物である写真３０１，３０３（図８参照）と、その写真３０１，３０３のｅｘｉｆデータを印刷した付箋ラベル３０２，３０４と、を殆んど同時に得ることができる。
【００６５】
このように、上記撮影付属データの印刷方法は、
撮像データから撮影付属データを取り込み、
前記撮影付属データをパターン２２１に変換した後、
パターン２２１を、画像データを印刷する印刷用紙の１つの辺の長さ以内で、且つ、被印刷テープ５２の幅内に収まるように編集した付属情報パターン２４１ａ，２４１ｂを生成し、
被印刷テープ５２に対する印刷を行うラベルプリンタ３０により、被印刷テープ５２に対する前記付属情報パターン２４１ａ，２４１ｂの印刷を行う。
【００６６】
そのため、上記印刷方法によれば、撮影付属データをパターンに変換した付属情報パターン２４１ａ，２４１ｂが印刷され、しかも、画像データの印刷物である写真３０１，３０３の１つの辺に沿わせて配置したときに、付属情報パターン２４１ａ，２４１ｂが写真３０１，３０３よりもはみ出すことが無い位置関係で配置できる、付箋ラベル３０２，３０４を作成することができる。
【００６７】
図８は、前記写真３０１，３０３のサイズと、そのサイズに適した付箋ラベルの長さと、の関係を示す図であり、例えばＡ４サイズの印刷用紙に画像データを印刷した写真３０１のｅｘｉｆデータを印刷した付箋ラベル３０２は、印刷された付属情報パターン２４１ａの長さが、写真３０１の付箋ラベル３０２を配置した側の１つの辺の長さ以内である。
【００６８】
また、図８に示すように、Ｌ版の印刷用紙に画像データを印刷した写真３０３のｅｘｉｆデータを印刷した付箋ラベル３０４は、印刷された付属情報パターン２４１ｂの長さが、写真３０３の付箋ラベル３０２を配置した側の１つの辺の長さ以内である
そのため、付属情報パターン２４１ａ，２４１ｂが、写真３０１，３０３の外方に張り出している場合のように、付属情報パターン２４１ａ，２４１ｂが不自然な位置に見えることが無い。従って、例えばアルバム等に、付箋ラベル３０２，３０４を、写真３０１，３０３に沿わせて、良好な整頓感で、美観を損なうこと無く配置することができる。
【００６９】
また、上記印刷プログラムは、ラベルプリンタ３０を制御する制御装置１０に、
画像データと前記撮影付属データとを含む撮像データから前記撮影付属データを取り込む処理と、
前記撮影付属データをパターン２２１に変換する処理（Ｓ２）と、
前記パターン２２１を、前記画像データを印刷する印刷用紙の１つの辺の長さ以内で、且つ、被印刷テープ５２の幅内に収まるように編集して付属情報パターン２４１ａ，２４１ｂを生成する処理（Ｓ４）〜（Ｓ１０）と、
付属情報パターン２４１ａ，２４１ｂを前記プリンタ３０に対して出力する処理（Ｓ１１）と、
を実行させる。
【００７０】
そのため、この印刷プログラムを、ラベルプリンタ３０と接続した制御装置に搭載することにより、撮影付属データをパターンに変換した付属情報パターン２４１ａ，２４１ｂが印刷され、しかも、画像データの印刷物である写真３０１，３０３の１つの辺に沿わせて配置したときに、付属情報パターン２４１ａ，２４１ｂが写真３０１，３０３よりもはみ出すことが無い位置関係で配置できる、付箋ラベル３０２，３０４を作成することができる。
【００７１】
また、上記実施形態の印刷方法は、付属情報パターン２４１ａ，２４１ｂの印刷を、付属情報パターン２４１ａ，２４１ｂを印刷するときの被印刷テープ５２の使用長が、付属情報パターン２４１ａ，２４１ｂの印刷長以上で、且つ、画像印刷用紙の１つの辺の長さ以下になるように設定して行う。
【００７２】
そのため、付属情報パターン２４１ａ，２４１ｂが欠け落ち無く印刷され、しかも、付属情報パターン２４１ａ，２４１ｂよりもラベル端側の余白部を含むラベル全体が写真３０１，３０３よりもはみ出すことが無い、より良好な整頓感で、より美観を損なうこと無く配置できる、付箋ラベル３０２，３０４を作成することができる。
【００７３】
なお、上記実施形態では、制御装置１０としてパーソナルコンピュータを利用したが、制御装置１０は、撮像データの情報処理能力を有するものであれば、他の装置でもよい。また、付属情報パターン２４１ａ，２４１ｂを印刷するプリンタは、上記実施形態のラベルプリンタ３０に限らず、テープ状のパターン記録媒体に対して印刷を行うものであればよい。
【００７４】
さらに、本発明は、上記いくつかの実施形態に限らず、特許請求の範囲に記載された発明とその均等の範囲に含まれる。以下に、本願出願の当初の特許請求の範囲に記載された発明を付記する。
【００７５】
［１］
画像データと撮影付属データとを含む撮像データの当該撮影付属データを変換して付属情報パターンを生成し、
パターン記録媒体に対して印刷を行うパターン印刷装置により、前記付属情報パターンを印刷し、
生成される前記付属情報パターンは、前記画像データが印刷される画像記録媒体の１つの辺に対応している、前記パターン記録媒体における前記付属情報パターンが印刷される部位の１辺が、前記画像データが印刷される画像記録媒体の前記１つの辺の長さ以内の長さに設定されるように変換されている、
ことを特徴とする撮影付属データの印刷方法。
【００７６】
［２］
前記付属情報パターンの印刷を、
前記付属情報パターンを印刷するときの前記パターン記録媒体の使用長が、
前記付属情報パターンの印刷長以上で、且つ、前記画像記録媒体の前記１つの辺の長さ以下になるように設定して行う、
ことを特徴とする［１］に記載の撮影付属データの印刷方法。
【００７７】
［３］
前記撮影付属データの前記変換において、
前記付属情報パターンの長さが前記画像記録媒体の前記１つの辺の長さを越えるときは、
前記付属情報パターンの改行処理を行う、
ことを特徴とする［１］または［２］に記載の撮影付属データの印刷方法。
【００７８】
［４］
前記撮影付属データの前記変換において、
前記付属情報パターンが前記パターン記録媒体の幅の長さ以内に収まらないときは、
前記付属情報パターンのパターンサイズ及びパターン間隔を、前記付属情報パターンが前記パターン記録媒体の前記幅の長さ以内に収まるように調整する、
ことを特徴とする［１］乃至［３］の何れかに記載の撮影付属データの印刷方法。
【００７９】
［５］
前記撮影付属データの取り込みと、前記付属情報パターンへの変換と、を前記パターン印刷装置に接続した制御装置により行い、
前記生成した前記付属情報パターンを、前記制御装置から前記パターン印刷装置へ供給する、
ことを特徴とする［１］乃至［４］の何れかに記載の撮影付属データの印刷方法。
【００８０】
［６］
前記制御装置により、
前記撮像データから前記画像データを取り込み、
前記画像データを印刷用画像に変換し、
前記画像記録媒体に対して印刷を行う画像印刷装置により、前記印刷用画像を印刷する、
ことを特徴とする［５］に記載の撮影付属データの印刷方法。
【００８１】
［７］
前記付属情報パターンの印刷と、前記印刷用画像の印刷と、を同時に行う、
ことを特徴とする［１］乃至［６］の何れかに記載の撮影付属データの印刷方法。
【００８２】
［８］
前記パターン記録媒体はテープ状である、
ことを特徴とする［１］乃至［７］の何れかに記載の撮影付属データの印刷方法。
【００８３】
［９］
コンピュータに、
画像データと撮影付属データとを含む撮像データの当該撮影付属データを変換して付属情報パターンを生成する処理と、
パターン記録媒体に対して印刷を行うパターン印刷装置により、前記付属情報パターンを印刷する処理と、
を実行させ、
生成される前記付属情報パターンは、前記画像データが印刷される画像記録媒体の１つの辺に対応している、前記パターン記録媒体における前記付属情報パターンが印刷される部位の１辺が、前記画像データが印刷される画像記録媒体の前記１つの辺の長さ以内の長さに設定されるように変換されている、
ことを特徴とする撮影付属データの印刷プログラム。
【符号の説明】
【００８４】
１０…制御装置
２０…画像プリンタ（画像印刷装置）
３０…ラベルプリンタ（パターン印刷装置）
５２…被印刷テープ（パターン記録媒体）
２００…撮像データ
２２１…パターン
２４１ａ，２４１ｂ…付属情報パターン
３０２，３０４…付箋ラベル
【図１】
2015058701.tif 000003
【図２】
2015058701.tif 000004
【図３】
2015058701.tif 000005
【図４】
2015058701.tif 000006
【図５】
2015058701.tif 000007
【図６】
2015058701.tif 000008
【図７】
2015058701.tif 000009
【図８】
2015058701.tif 000010